(57)【要約】  本発明は、四級アンモニウム化合物と、アルコキシル化四級アンモニウム化合物、非イオン性界面活性剤、アルキルアリールスルホネート、およびアルキルスルホネート化合物から選択される化合物を含む布地柔軟剤組成物を提供する。組成物は、液体状態であり、室温以下においてクリアで安定なままである。布地製品に適用する場合、本発明の組成物は、当分野において一般に使用される布地柔軟剤のエマルションまたはペーストバージョンと比べて同等またはさらに良好な柔軟化性能を示す。本発明はまた、布地を柔軟化させる本発明の組成物の使用を提供する。【特許請求の範囲】
【請求項１】
組成物であって：
前記組成物の総重量に基づいて２０〜９０重量％の式（Ｉ）の四級アンモニウム化合物：
【化４】
2016534238.tif 000006
式中、Ｒ１およびＲ２は、独立に、６〜２４個、好ましくは８〜２２個、より好ましくは１２〜２０個、最も好ましくは１４〜１８個の炭素原子を有するヒドロカルビル基であり；
Ｒ３およびＲ４は、独立に、Ｃ１−Ｃ３アルキルからなる群から選択され；
Ｙ−はアニオンである；
前記組成物の総重量に基づいて０．０１〜１０重量％の、アルコキシル化四級アンモニウム化合物、非イオン性界面活性剤、アルキルアリールスルホネート、およびアルキルスルホネート化合物から選択される化合物；ならびに
前記組成物の総重量に基づいて０〜７０重量％の水
を含む組成物。
【請求項２】
前記組成物が、前記布地柔軟剤組成物の総重量に基づいて３０〜７０重量％の活性剤を含む、請求項１に記載の組成物。
【請求項３】
前記組成物が、前記組成物の総重量に基づいて０．０１〜５重量％の、アルコキシル化四級アンモニウム化合物、非イオン性界面活性剤、アルキルアリールスルホネート、およびアルキルスルホネート化合物から選択される化合物を含む、請求項１に記載の組成物。
【請求項４】
前記組成物が有機溶媒をさらに含む、請求項１に記載の組成物。
【請求項５】
前記有機溶媒が、イソプロパノール、エタノール、ベンジルアルコール、グリセリン、プロピレングリコール、およびこれらの混合物から選択される、請求項４に記載の組成物。
【請求項６】
前記組成物がｐＨ調整剤をさらに含み、前記組成物のｐＨ値が７以下である、請求項１に記載の組成物。
【請求項７】
前記アルコキシル化四級アンモニウム化合物が以下の式（ＩＩ）を有する、請求項１から６のいずれか一項に記載の組成物：
【化５】
2016534238.tif 000007
式中、Ｒ５は、Ｃ６−Ｃ２２ヒドロカルビル、好ましくはＣ６−Ｃ２２アルキルまたはアルケニル、より好ましくはＣ８−Ｃ２０アルキルまたはアルケニル、最も好ましくはＣ１０−Ｃ１８アルキルまたはアルケニルを表し；
Ｒ６は、Ｃ１−Ｃ３ヒドロカルビル、好ましくはＣ１−Ｃ３アルキルを表し；
ｍおよびｎは０でない整数であり、ｍおよびｎの合計は２〜２０の範囲であり；
Ｘ−はアニオンを表す。
【請求項８】
前記アルコキシル化四級アンモニウム化合物が以下の式（ＩＩ）を有する、請求項１から６のいずれか一項に記載の組成物：
【化６】
2016534238.tif 000008
式中、Ｒ５は、Ｃ６−Ｃ２２ヒドロカルビル、好ましくはＣ６−Ｃ２２アルキルまたはアルケニル、より好ましくはＣ８−Ｃ２０アルキルまたはアルケニル、最も好ましくはＣ１０−Ｃ１８アルキルまたはアルケニルを表し；
Ｒ７およびＲ８は、独立に、Ｃ１−Ｃ３ヒドロカルビル、好ましくはＣ１−Ｃ３アルキルを表し；
ｐは２〜２０の範囲の整数であり；
Ｘ−はアニオンを表す。
【請求項９】
布地の処理のための方法であって、前記布地を請求項１から８のいずれかに記載の組成物と接触させる工程を含む、方法。
【請求項１０】
毛髪の処理のための方法であって、前記毛髪を請求項１から８のいずれかに記載の組成物と接触させる工程を含む、方法。
【請求項１１】
布地柔軟剤としての請求項１から８のいずれかに記載の組成物の使用。
【請求項１２】
静電気防止剤としての請求項１から８のいずれかに記載の組成物の使用。
【発明の詳細な説明】
【技術分野】
【０００１】
本発明は、布地柔軟剤組成物、特に四級アンモニウム化合物を含む布地柔軟剤組成物に関する。本発明はさらに、組成物の使用に関する。
【背景技術】
【０００２】
布地柔軟剤は、布地コンディショナーとも呼ばれる。布地柔軟剤は、洗濯された布地に滑らかなテクスチャ、しなやかさ、および柔らかい手触りを与えるために洗濯プロセスに使用される１つまたはそれ以上の活性物質を含有する組成物である。布地柔軟剤は、一般に、水不溶性四級アンモニウム化合物の形態で１つまたはそれ以上のカチオン性界面活性剤を含有し、ここでアンモニウム窒素原子は、少なくとも２つの長鎖非環式脂肪族炭化水素基を含有する。
【０００３】
柔軟剤自体が疎水性の性質を有することが多いので、柔軟剤はエマルションの形態で一般に存在する。初期の配合物においては、石鹸が乳化剤として使用されていた。エマルションは、通常、不透明、乳状流体である。しかし、疎水性相の液滴が十分に小さいマイクロエマルションも存在する。マイクロエマルションの利点は、より小さい粒子の繊維への浸透能力が高いことである。カチオン性および非イオン性界面活性剤の混合物は、乳化剤として使用されることが多い。別の手法は、ポリマー性ネットワーク、エマルションポリマーを使用している。
【０００４】
米国特許第４，２５５，４８４号明細書は、布地コンディショナー組成物で含浸された布地コンディショニング物品を対象とし、この物品は、布地コンディショニング剤の、物品から物品と共にタンブルされる布地への均一な移動を向上させるために、脂肪族グリセリド展延剤を含む。布地コンディショナー組成物は、好ましくは、約６０〜８０重量％のカチオン性布地柔軟剤組成物および約５〜１５％の選択された非イオン性界面活性剤、より詳細にはエトキシル化ステアリン酸タイプの界面活性剤を含む。米国特許第４，２５５，４８４号明細書に従う布地コンディショナー組成物は、多量のカチオン性布地柔軟剤および有効なヒドロトロープの不存在のためにペースト状態である可能性があり、組成物の物品からの布地への均一な移動を向上させるために、脂肪族グリセリド展延剤を必要とする。
【０００５】
米国特許出願公開第２００６２６４３５２号明細書は、固形分が少なく、高粘度の布地柔軟剤組成物を対象とし、この組成物は最小限のポリマー性添加剤を含有するまたは全くポリマー性添加剤を含有せず、所望により、改善された柔軟性、安定性および粘度性能特性を示し、ここでこの組成物は、特定のレオロジーを含み、布地柔軟活性および別の布地柔軟活性を改質する。
【先行技術文献】
【特許文献】
【０００６】
【特許文献１】米国特許第４，２５５，４８４号明細書
【特許文献２】米国特許出願公開第２００６２６４３５２号明細書
【発明の概要】
【発明が解決しようとする課題】
【０００７】
しかし、良好な安定性を示す布地柔軟剤組成物が依然として必要とされている。エマルション、マイクロエマルション、およびエマルションポリマー形態にある現在の布地柔軟剤組成物は、経時的に相が分離する可能性がある。結果として、組成物の外観および性能はこれに応じて悪化する。結果として、高い安定性、特に外観および性能における安定性を有する布地柔軟剤組成物を提供するという必要性が当分野において存在する。
【課題を解決するための手段】
【０００８】
本発明は、液体状であり、室温以下でクリアで安定なままである布地柔軟剤組成物を提供する。布地製品に適用される場合、本発明の組成物は、当分野において一般に使用される布地柔軟剤のエマルションまたはペーストバージョンと比べて同等の柔軟化性能を示す。本発明はまた、布地を柔軟化させる本発明の組成物の使用を提供する。
【０００９】
上記で議論された問題は本発明に従う新規な布地柔軟剤組成物によって解決されたことを見出した。
【００１０】
驚くべきことに、本発明の組成物は、経時的および温度変化に安定であり、室温でクリアな液体状態のままであり、低温条件に供された後に回復可能であったことが観察された。凍結後であっても、本発明に従う組成物は、沈澱を生じることなく、室温下でクリアな状態に自発的に回復することを見出した。これは、本発明の組成物が種々の布地柔軟化製品に使用するのに、特に素早く効率の良い低温プロセス調製を必要とする用途（これは調製プロセスにおいて加熱操作を含まない）に使用するのに好適であることを示す。特に、本発明の組成物は、室温に戻された場合に沈澱を形成することなくクリアな状態を依然として保持したまま、凍結融解試験の少なくとも３ラウンドに耐えることができることを見出した。
【００１１】
他の化合物が、場合により、追加の機能を提供するために本発明の組成物に含まれていてもよい。特に、好ましくはイソプロパノール、エタノール、ベンジルアルコール、グリセリン、プロピレングリコールおよびこれらの混合物からなる群から選択される有機溶媒は、液体組成物をさらに安定化するために添加されてもよく；酸または塩基は、組成物のさらなる安定化のために最適なｐＨを維持するために含まれてもよく；加えて、電解質、キャリア、例えば水および水−アルコール混合物、ならびに他の成分、例えばシリコーン系消泡剤、エマルション安定化剤、芳香剤およびカラーを同様に添加して、関連する所望の特性を達成してもよい。
【００１２】
本発明の１つの態様において、以下を含む布地柔軟剤組成物が提供される：
布地柔軟剤組成物の総重量に基づいて２０〜９０重量％、好ましくは３０〜７０重量％の式（Ｉ）に従う四級アンモニウム化合物：
【化１】
2016534238.tif 000002
式中、
Ｒ１およびＲ２は、独立に、６〜２４個、好ましくは８〜２２個、より好ましくは１２〜２０個、最も好ましくは１４〜１８個の炭素原子を有するヒドロカルビル基、好ましくは線状および飽和またはモノ不飽和ヒドロカルビル基であり；
Ｒ３およびＲ４は、独立に、Ｃ１−Ｃ３アルキル、好ましくはメチルからなる群から選択され；
Ｙ−は、アニオン、好ましくはハライド、例えばクロリド、またはアルキルスルフェート、例えばメチルスルフェートまたはエチルスルフェートである。
布地柔軟剤組成物の総重量に基づいて０．０１〜１０重量％、好ましくは０．０１〜５重量％の、アルコキシル化四級アンモニウム化合物、非イオン性界面活性剤、アルキルアリールスルホネート、およびアルキルスルホネート化合物から選択される化合物（ここで、ヒドロトロープの重量比は、好ましくは５重量％以下である）；および
布地柔軟剤組成物の総重量に基づいて０〜７０重量％の水。
【００１３】
本発明の実施形態によれば、布地柔軟剤組成物は、布地柔軟剤組成物の総重量に基づいて１〜６０重量％、好ましくは１〜５０重量％の有機溶媒、好ましくはイソプロパノール、エタノール、ベンジルアルコール、グリセリン、プロピレングリコールおよびこれらの混合物から選択される有機溶媒をさらに含み、得られた液体組成物をさらに安定化させる。
【００１４】
本発明の実施形態によれば、布地柔軟剤組成物は、布地柔軟剤組成物の総重量に基づいて０．０１〜１重量％のｐＨ調整剤をさらに含む。好ましくは組成物のｐＨは、最大７であり、好ましくは最大５であり、好ましくは少なくとも２である。
【００１５】
本明細書で使用される場合、アルコキシル化四級アンモニウム化合物の用語は、式（ＩＩ）に従う化合物：
【化２】
2016534238.tif 000003
式中、Ｒ５は、Ｃ６−Ｃ２２ヒドロカルビル、好ましくはＣ６−Ｃ２２アルキルまたはアルケニル、より好ましくはＣ８−Ｃ２０アルキルまたはアルケニルを表し；最も好ましくはＣ１０−Ｃ１８は、アルキルまたはアルケニルであり；
Ｒ６は、Ｃ１−Ｃ３ヒドロカルビル、好ましくはＣ１−Ｃ３アルキルを表し；
ｍおよびｎは０でない整数であり、ｍおよびｎの合計は２〜２０の範囲であり；
Ｘ−は、アニオン、好ましくはハライド、例えばクロリド；アセテートまたはメチルアセテートであり；またはアルキルスルフェート、例えばメチルスルフェートまたはエチルスルフェートである；
または式（ＩＩＩ）に従う化合物である、
【化３】
2016534238.tif 000004
式中、Ｒ５はＣ６−Ｃ２２ヒドロカルビル、好ましくはＣ６−Ｃ２２アルキルまたはアルケニル、より好ましくはＣ８−Ｃ２０アルキルまたはアルケニル、最も好ましくはＣ１０−Ｃ１８アルキルまたはアルケニルを表し；
Ｒ７およびＲ８は、独立に、Ｃ１−Ｃ３ヒドロカルビル、好ましくはＣ１−Ｃ３アルキルを表し；
ｐは、２〜２０の範囲の整数であり；
Ｘ−はアニオン、好ましくはハライド、例えばクロリド；アセテートまたはメチルアセテート；またはアルキルスルフェート、例えばメチルスルフェートまたはエチルスルフェートである。
【００１６】
布地柔軟剤組成物の成分として本発明に従って使用できる非イオン性界面活性剤としては、アルコールエトキシレートおよびアルキルグルコシドが挙げられる。特に、使用するのに好適な非イオン性界面活性剤は、例えばＡｋｚｏ  ＮｏｂｅｌからのＢｅｒｏｌ（登録商標）１７５、ＡＧ（登録商標）６２０６として市販されている。
【００１７】
布地柔軟剤組成物の成分として本発明に従って使用できるアルキルアリールスルホネートとしては、ナトリウムキシレンスルホネートおよびナトリウムクメンスルホネートが挙げられるが、これらに限定されない。特に、使用に好適なアルキルアリールスルホネートの１つは、例えばＡｋｚｏ  ＮｏｂｅｌからのＷｉｔｃｏｎａｔｅ（登録商標）ＳＸＳとして市販されている。
【００１８】
布地柔軟剤組成物の成分として本発明に従って使用できるアルキルスルホネート化合物としては、ナトリウムＣ１４−Ｃ１６オレフィンスルホネート、ナトリウムオクタンスルホネートが挙げられるが、これらに限定されない。特に、使用するのに好適なアルキルスルホネート化合物は、例えばＡｋｚｏ  ＮｏｂｅｌからのＷｉｔｃｏｎａｔｅ（登録商標）ＡＯＳ、Ｗｉｔｃｏｎａｔｅ（登録商標）ＮＡＳ−８として市販されている。
【００１９】
上記で議論された成分に加えて、本発明の布地柔軟剤組成物は、当分野において従来通り公知である他の構成成分を含んでいてもよい。これらとしては：脂肪族アルコール、電解質、消泡剤、安定化剤、芳香剤およびカラーを挙げることができる。
【００２０】
本発明の別の態様において、本発明の布地柔軟剤組成物の使用が提供される。特に、組成物は、布地、例えば綿布地の荒い感触を弱めることができ、故に、これらに限定されないが、布地ケア用途、ヘアコンディショニング用途、および静電気防止用途に広く使用される。
【実施例】
【００２１】
本発明は、以下の実施例を参照して明らかにされる。これらは、本発明を例示することを意図するが、いかなる様式においても本発明の範囲を制限するものとして解釈されるべきではない。
【００２２】
本発明に従う布地柔軟剤組成物は、実施例１〜３に関して異なる配合を含む以下の表１に従って調製した。
【００２３】
【表１】
2016534238.tif 000005
【００２４】
上記表の示された布地柔軟剤組成物は、２５℃以上の温度にて淡黄色のクリアで安定な液体外観を有することが観察されたが、凍結融解（２〜２５℃）安定性試験の３サイクルを通過できる。
【００２５】
実施例１〜３に従って得られた組成物は、加熱することなく低温プロセス調製によって、布地柔軟剤（通常または濃縮バージョン）の最終生成物を製造するために他の成分と組み合わせて使用した。
【００２６】
最終生成物の総重量に基づいて５〜９重量％の実施例１〜３に従って得られた組成物をそれぞれ、以下の工程で特定されるように、所望により芳香剤および着色剤、バランス量として脱イオン水と混合した。
【００２７】
１）最終生成物の総重量の約５０重量％の低温脱イオン水を容器に添加する工程；
２）所望の量の着色剤／染料を水に添加し、撹拌して混合物溶液を得る工程；
３）塊がなくなるまで穏やかに撹拌しながら、実施例１〜３に従って得られた組成物の１つを水に分散させる工程；
４）バランス量の低温脱イオン水を添加する工程；
５）所望量の芳香剤および任意の蛍光増白剤の量を添加し、徐々に撹拌して芳香剤および蛍光増白剤の適切な分散を確実にする工程；
６）所望の量の電解質を添加して、必要により粘度を低下させる工程；
実施例の組成物に関する重要な利益：実施例１〜３の組成物は、加熱操作を全く必要とせずに、冷水分散プロセスに使用するのに好適であることがわかった。加えて、すべての工程は、液相だけで簡単に取り扱った。
【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
液体状の布地柔軟剤組成物であって：
前記組成物の総重量に基づいて３０〜７０重量％の式（Ｉ）の四級アンモニウム化合物：
【化４】
2016534238.tif 000009
式中、Ｒ１およびＲ２は、独立に、６〜２４個、好ましくは８〜２２個、より好ましくは１２〜２０個、最も好ましくは１４〜１８個の炭素原子を有するヒドロカルビル基であり；
Ｒ３およびＲ４は、独立に、Ｃ１−Ｃ３アルキルからなる群から選択され；
Ｙ−はアニオンである；
前記組成物の総重量に基づいて０．０１〜１０重量％のアルコキシル化四級アンモニウム化合物；
前記組成物の総重量に基づいて０〜７０重量％の水；ならびに
前記組成物の総重量に基づいて１〜６０重量％の、イソプロパノール、エタノール、ベンジルアルコール、グリセリン、プロピレングリコール、およびこれらの混合物から選択される有機溶媒
を含む組成物。
【請求項２】
前記組成物が、前記組成物の総重量に基づいて０．０１〜５重量％の、アルコキシル化四級アンモニウム化合物、非イオン性界面活性剤、アルキルアリールスルホネート、およびアルキルスルホネート化合物から選択される化合物を含む、請求項１に記載の組成物。
【請求項３】
前記組成物がｐＨ調整剤をさらに含み、前記組成物のｐＨ値が７以下である、請求項１に記載の組成物。
【請求項４】
前記アルコキシル化四級アンモニウム化合物が以下の式（ＩＩ）を有する、請求項１から３のいずれか一項に記載の組成物：
【化５】
2016534238.tif 000010
式中、Ｒ５は、Ｃ６−Ｃ２２ヒドロカルビル、好ましくはＣ６−Ｃ２２アルキルまたはアルケニル、より好ましくはＣ８−Ｃ２０アルキルまたはアルケニル、最も好ましくはＣ１０−Ｃ１８アルキルまたはアルケニルを表し；
Ｒ６は、Ｃ１−Ｃ３ヒドロカルビル、好ましくはＣ１−Ｃ３アルキルを表し；
ｍおよびｎは０でない整数であり、ｍおよびｎの合計は２〜２０の範囲であり；
Ｘ−はアニオンを表す。
【請求項５】
前記アルコキシル化四級アンモニウム化合物が以下の式（ＩＩＩ）を有する、請求項１から３のいずれか一項に記載の組成物：
【化６】
2016534238.tif 000011
式中、Ｒ５は、Ｃ６−Ｃ２２ヒドロカルビル、好ましくはＣ６−Ｃ２２アルキルまたはアルケニル、より好ましくはＣ８−Ｃ２０アルキルまたはアルケニル、最も好ましくはＣ１０−Ｃ１８アルキルまたはアルケニルを表し；
Ｒ７およびＲ８は、独立に、Ｃ１−Ｃ３ヒドロカルビル、好ましくはＣ１−Ｃ３アルキルを表し；
ｐは２〜２０の範囲の整数であり；
Ｘ−はアニオンを表す。
【請求項６】
布地の処理のための方法であって、前記布地を請求項１から５のいずれかに記載の組成物と接触させる工程を含む、方法。
【請求項７】
毛髪の処理のための方法であって、前記毛髪を請求項１から５のいずれかに記載の組成物と接触させる工程を含む、方法。
【請求項８】
布地柔軟剤としての請求項１から６のいずれかに記載の組成物の使用。
【請求項９】
静電気防止剤としての請求項１から５のいずれかに記載の組成物の使用。
【手続補正２】
【補正対象書類名】明細書
【補正対象項目名】００２７
【補正方法】変更
【補正の内容】
【００２７】
１）最終生成物の総重量の約５０重量％の低温脱イオン水を容器に添加する工程；
２）所望の量の着色剤／染料を水に添加し、撹拌して混合物溶液を得る工程；
３）塊がなくなるまで穏やかに撹拌しながら、実施例１〜３に従って得られた組成物の１つを水に分散させる工程；
４）バランス量の低温脱イオン水を添加する工程；
５）所望量の芳香剤および任意の蛍光増白剤の量を添加し、徐々に撹拌して芳香剤および蛍光増白剤の適切な分散を確実にする工程；
６）所望の量の電解質を添加して、必要により粘度を低下させる工程；
実施例の組成物に関する重要な利益：実施例１〜３の組成物は、加熱操作を全く必要とせずに、冷水分散プロセスに使用するのに好適であることがわかった。加えて、すべての工程は、液相だけで簡単に取り扱った。
本願発明には以下の態様が含まれる。
［１］
組成物であって：
前記組成物の総重量に基づいて２０〜９０重量％の式（Ｉ）の四級アンモニウム化合物：
【化４】
2016534238.tif 000012
式中、Ｒ１およびＲ２は、独立に、６〜２４個、好ましくは８〜２２個、より好ましくは１２〜２０個、最も好ましくは１４〜１８個の炭素原子を有するヒドロカルビル基であり；
Ｒ３およびＲ４は、独立に、Ｃ１−Ｃ３アルキルからなる群から選択され；
Ｙ−はアニオンである；
前記組成物の総重量に基づいて０．０１〜１０重量％の、アルコキシル化四級アンモニウム化合物、非イオン性界面活性剤、アルキルアリールスルホネート、およびアルキルスルホネート化合物から選択される化合物；ならびに
前記組成物の総重量に基づいて０〜７０重量％の水
を含む組成物。
［２］
前記組成物が、前記布地柔軟剤組成物の総重量に基づいて３０〜７０重量％の活性剤を含む、請求項１に記載の組成物。
［３］
前記組成物が、前記組成物の総重量に基づいて０．０１〜５重量％の、アルコキシル化四級アンモニウム化合物、非イオン性界面活性剤、アルキルアリールスルホネート、およびアルキルスルホネート化合物から選択される化合物を含む、請求項１に記載の組成物。
［４］
前記組成物が有機溶媒をさらに含む、請求項１に記載の組成物。
［５］
前記有機溶媒が、イソプロパノール、エタノール、ベンジルアルコール、グリセリン、プロピレングリコール、およびこれらの混合物から選択される、請求項４に記載の組成物。
［６］
前記組成物がｐＨ調整剤をさらに含み、前記組成物のｐＨ値が７以下である、請求項１に記載の組成物。
［７］
前記アルコキシル化四級アンモニウム化合物が以下の式（ＩＩ）を有する、請求項１から６のいずれか一項に記載の組成物：
【化５】
2016534238.tif 000013
式中、Ｒ５は、Ｃ６−Ｃ２２ヒドロカルビル、好ましくはＣ６−Ｃ２２アルキルまたはアルケニル、より好ましくはＣ８−Ｃ２０アルキルまたはアルケニル、最も好ましくはＣ１０−Ｃ１８アルキルまたはアルケニルを表し；
Ｒ６は、Ｃ１−Ｃ３ヒドロカルビル、好ましくはＣ１−Ｃ３アルキルを表し；
ｍおよびｎは０でない整数であり、ｍおよびｎの合計は２〜２０の範囲であり；
Ｘ−はアニオンを表す。
［８］
前記アルコキシル化四級アンモニウム化合物が以下の式（ＩＩ）を有する、請求項１から６のいずれか一項に記載の組成物：
【化６】
2016534238.tif 000014
式中、Ｒ５は、Ｃ６−Ｃ２２ヒドロカルビル、好ましくはＣ６−Ｃ２２アルキルまたはアルケニル、より好ましくはＣ８−Ｃ２０アルキルまたはアルケニル、最も好ましくはＣ１０−Ｃ１８アルキルまたはアルケニルを表し；
Ｒ７およびＲ８は、独立に、Ｃ１−Ｃ３ヒドロカルビル、好ましくはＣ１−Ｃ３アルキルを表し；
ｐは２〜２０の範囲の整数であり；
Ｘ−はアニオンを表す。
［９］
布地の処理のための方法であって、前記布地を請求項１から８のいずれかに記載の組成物と接触させる工程を含む、方法。
［１０］
毛髪の処理のための方法であって、前記毛髪を請求項１から８のいずれかに記載の組成物と接触させる工程を含む、方法。
［１１］
布地柔軟剤としての請求項１から８のいずれかに記載の組成物の使用。
［１２］
静電気防止剤としての請求項１から８のいずれかに記載の組成物の使用。
【国際調査報告】
2016534238.tif 000015
2016534238.tif 000016
2016534238.tif 000017